【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
光ディスクにデータを記録または再生する光ディスク装置であって、
前記光ディスクは溝構造を持たない記録層を備え、前記記録層は、データが記録された軌跡であるデータトラックが形成された既記録領域と、該データトラックが形成されていない未記録領域と、を有し、
前記記録層に照射するレーザ光を出射する発光部と、
前記レーザ光を前記記録層上に集光する対物レンズと、
前記レーザ光を前記データトラックへ位置付けるトラッキング駆動部と、
前記データトラックへ位置付けられた前記レーザ光の反射光に基づいて前記データトラックと前記レーザ光の位置ずれを示す記録層トラッキング誤差信号を生成する記録層トラッキング誤差信号生成部と、
前記記録層からの前記レーザ光の反射光に基づいて前記レーザ光が前記既記録領域上に位置しているか否かを示す既記録判定信号を生成し、該既記録判定信号に基づいて該レーザ光の位置を判定する既記録判定部と、
前記発光部と、前記対物レンズと、を含む光ピックアップの位置を前記光ディスクの半径方向に変位させるスライダモータと、
を備え、
データトラックに対して前記レーザ光を位置付けるトラッキングサーボ制御を開始する際、前記記録層トラッキング誤差信号生成部が生成した記録層トラッキング誤差信号と、前記既記録判定部が生成した既記録判定信号に基づいてトラッキングサーボ制御を開始するタイミングを決定する光ディスク装置。
【請求項２】
請求項１に記載の光ディスク装置であって、
前記生成された記録層トラッキング誤差信号に基づいて、前記レーザ光が前記データトラックを横断する速度である横断速度を検出する横断速度検出部を備える光ディスク装置。
【請求項３】
請求項２に記載の光ディスク装置であって、
前記横断速度検出部は、
前記トラッキング誤差信号を所定の閾値に対して二値化して二値化信号を生成する比較器と、
前記生成された二値化信号から周波数情報を計測する周波数計測部と、
を備え、
前記横断速度は、前記計測された周波数情報に基づいて検出される光ディスク装置。
【請求項４】
請求項２に記載の光ディスク装置であって、
前記既記録判定部は、入力される信号を所定の閾値と比較する比較器を備える光ディスク装置。
【請求項５】
請求項４に記載の光ディスク装置であって、
前記既記録判定部に入力される信号は、前記記録層からの前記レーザ光の反射光の総光量、該反射光から生成される再生信号の振幅、または、前記記録層トラッキング誤差信号の振幅である光ディスク装置。
【請求項６】
請求項２に記載の光ディスク装置であって、
前記光ディスクは、アドレスを含む物理的な溝構造であるトラックが形成されたガイド層を有している光ディスク装置。
【請求項７】
請求項６に記載の光ディスク装置において、
前記記録層に照射するレーザ光を、第一のレーザ光とし、前記記録層に照射するレーザ光を出射する発光部を第一の発光部とすると、
前記ガイド層に照射する第二のレーザ光を出射する第二の発光部と、
前記ガイド層からの前記第二のレーザ光の反射光に基づいて該ガイド層上のトラックと
前記第二のレーザ光の焦点の位置ずれを示すガイド層トラッキング誤差信号を生成するガイド層トラッキング誤差信号生成部と、
を備え、
前記既記録判定部は、前記記録層トラッキング信号と前記ガイド層トラッキング信号との振幅または周波数の差に基づいて既記録判定信号を生成する光ディスク装置。
【請求項８】
請求項２に記載の光ディスク装置であって、
所定の期間内に前記トラッキングサーボ制御を開始するタイミングが存在しない場合、
前記スライダモータにより前記光ピックアップの位置を変位させ、前記第一のレーザ光が前記記録層上に照射される位置を変化させる光ディスク装置。
【請求項９】
請求項８に記載の光ディスク装置であって、
前記所定の期間は、前記既記録判定信号に基づいて前記既記録判定部に、前記第一のレーザ光の焦点が前記既記録領域に位置すると判定される期間であり、
前記トラッキングサーボ制御を開始するタイミングは、前記所定の期間内に、前記横断速度が所定の速度以下になるタイミングである光ディスク装置。
【請求項１０】
請求項１に記載の光ディスク装置であって、
前記記録層に追記する場合、前記スライダモータにより前記光ピックアップの位置を変位させ、前記第一のレーザ光が前記既記録領域と前記未記録領域の境界よりも前記既記録領域側に位置付け、トラッキングサーボ制御を開始する光ディスク装置。
【請求項１１】
請求項１０に記載の光ディスク装置であって、
前記光ディスクの偏芯量を計測する偏芯量計測部を備え、
前記スライダモータは、前記第一のレーザ光の焦点が、前記境界よりも前記計測された偏芯量に基づく距離分既記録領域側に位置付くよう前記光ピックアップを変位させる光ディスク装置。
【請求項１２】
請求項２に記載の光ディスク装置であって、
前記記録層トラッキング誤差信号の振幅を算出する振幅取得部を有し、
前記振幅取得部は、前記生成された既記録判定信号に基づき前記第一のレーザ光の焦点が前記既記録領域上に位置付けていると判定された場合のみ、前記記録層トラッキング誤差信号の振幅を算出する光ディスク装置。
【請求項１３】
光ディスクにデータを記録または再生する光ディスク装置であって、
前記光ディスクは溝構造を持たない記録層を備え、前記記録層は、データが記録された軌跡であるデータトラックが形成された既記録領域と、該データトラックが形成されていない未記録領域と、を有し、
前記記録層に照射するレーザ光を出射する発光部と、
前記レーザ光を前記記録層上に集光する対物レンズと、
前記レーザ光を前記データトラックへ位置付けるトラッキング駆動部と、
前記データトラックへ位置付けられた前記レーザ光の反射光に基づいて前記データトラックと前記レーザ光の位置ずれを示す記録層トラッキング誤差信号を生成する記録層トラッキング誤差信号生成部と、
前記記録層からの前記レーザ光の反射光に基づいて前記レーザ光が前記既記録領域上に位置しているか否かを示す既記録判定信号を生成し、該既記録判定信号に基づいて該レーザ光の位置を判定する既記録判定部と、
前記発光部と、前記対物レンズと、を含む光ピックアップの位置を前記光ディスクの半径方向に変位させるスライダモータと、
を備え、
前記記録層トラッキング誤差信号生成部が前記トラッキング誤差信号を生成し、前記既記録判定部が既記録判定信号を生成した後に、トラッキングサーボ制御を開始する光ディスク装置。
【請求項１４】
光ディスクに情報を記録または再生する光ディスク装置の制御方法であって、
前記光ディスクは溝構造を持たない記録層を備え、前記記録層は、データが記録された軌跡であるデータトラックが形成された既記録領域と、該データトラックが形成されていない未記録領域と、を有し、
前記記録層に照射するレーザ光を出射するステップと、
前記レーザ光を前記記録層上に集光するステップと、
前記レーザ光を前記データトラックへ位置付けするステップと、
前記データトラックへ位置付けられた前記レーザ光の反射光に基づいて前記データトラックと前記レーザ光の位置ずれを示す記録層トラッキング誤差信号を生成するステップ
と、
前記記録層からの前記レーザ光の反射光に基づいて前記レーザ光が前記既記録領域上に位置しているか否かを示す既記録判定信号を生成するステップと、
前記既記録判定信号に基づいて前記レーザ光の位置を判定するステップと、
データトラックに対して前記レーザ光を位置付けるトラッキングサーボ制御を開始するタイミングを決定するステップと、
を含む制御方法。
【請求項１５】
光ディスクにデータを記録または再生する光ディスク装置であって、
前記光ディスクは溝構造を持たない記録層を備え、前記記録層は、データが記録された軌跡であるデータトラックが形成された既記録領域と、該データトラックが形成されていない未記録領域と、を有し、
前記記録層に照射するレーザ光を出射する発光部と、
前記レーザ光を前記記録層上に集光する対物レンズと、
前記レーザ光を前記データトラックへ位置付けるトラッキング駆動部と、
前記データトラックへ位置付けられた前記レーザ光の反射光に基づいて前記データトラックと前記レーザ光の位置ずれを示す記録層トラッキング誤差信号を生成する記録層トラッキング誤差信号生成部と、
前記記録層からの前記レーザ光の反射光に基づいて前記レーザ光が前記既記録領域上に位置しているか否かを示す既記録判定信号を生成し、該既記録判定信号に基づいて該レーザ光の位置を判定する既記録判定部と、
前記発光部と、前記対物レンズと、を含む光ピックアップの位置を前記光ディスクの半径方向に変位させるスライダモータと、
を備え、
ディスク挿入時に前記記録層トラッキング誤差信号生成部が生成した記録層トラッキング誤差信号を用いて装置内の調整処理を実施する際に、前記既記録判定部が生成した既記録判定信号に基づいて、前記調整処理に用いる前記トラッキング誤差信号の切り替えを行う光ディスク装置。
【請求項１６】
請求項１５に記載の光ディスク装置であって、
前記調整処理は球面収差調整または前期トラッキング誤差信号の振幅調整である光ディスク装置。